(57)【要約】      （修正有）【課題】台風対策等で上げ下げしてハウス内環境を保全する被覆シートを押さえる幅広のハウスバンドが、ハウス棟部で位置決め固定されるハウスバンドの位置決め固定具を提供する。【解決手段】弾性線材５を折曲して水平な前後の水平折曲部６、６’と、中央で垂直に起立する垂直折曲部７に形成され、前後の水平折曲部６、６’は、ハウス骨組の棟部に設けられた棟部シート止め材４の止着溝４０に押し入れ固定自在で、中央の垂直折曲部７は、中空内部にハウスバンドが挿通可能な所定幅寸のバンド挿通部７０として形成され、防虫ネット２（又は防風ネット）と被覆シート３を押し入れて止着する棟部シート止め材４の止着溝４０に水平折曲部６、６’が固定されると共に、被覆シート３の上から押さえるハウスバンドが垂直折曲部７のバンド挿通部７０に挿通されて、ハウスバンドが位置決め固定される。【選択図】図１
2020124138.tif 000002
【特許請求の範囲】
【請求項１】
複数のアーチパイプにより形成されるトンネル状のハウス骨組に防虫ネット又は防風ネットが被覆され、その防虫ネット又は防風ネットの上にシートが被覆され、前記被覆シートの下端を上げ下げしてビニルハウス内の環境を保全する前記被覆シートを上から押さえるハウスバンドの位置決め固定具であって、
全体形状が弾性線材を折曲して水平な前後の水平折曲部と、中央で垂直に起立する垂直折曲部に形成され、前記前後の水平折曲部は、前記ハウス骨組の棟部に設けられた棟部シート止め材の止着溝に押し入れ固定自在で、前記中央の垂直折曲部は、その中空内部にハウスバンドが挿通可能な所定幅寸のバンド挿通部として形成されており、前記防虫ネット又は防風ネットと被覆シートを押し入れて止着する前記棟部シート止め材の止着溝に前記水平折曲部が固定されると共に、前記被覆シートの上から押さえるハウスバンドが前記垂直折曲部のバンド挿通部に挿通されて、当該ハウスバンドが位置決め固定されることを特徴とする、ハウス内環境の保全シート用ハウスバンドの位置決め固定具。
【請求項２】
複数のアーチパイプにより形成されるトンネル状のハウス骨組にシートが被覆され、前記被覆シートの下端を上げ下げしてビニルハウス内の環境を保全する前記被覆シートを上から押えるハウスバンドの位置決め固定具であって、
全体形状が弾性線材を折曲して水平な前後の水平折曲部と、中央で垂直に起立する垂直折曲部に形成され、前記前後の水平折曲部は、前記ハウス骨組の棟部に設けられた棟部シート止め材の止着溝に押し入れ固定自在で、前記中央の垂直折曲部は、その中空内部にハウスバンドが挿通可能な所定幅寸のバンド挿通部として形成されており、前記被覆シートを押し入れて止着する前記棟部シート止め材の止着溝に前記水平折曲部が固定されると共に、前記被覆シートの上から押さえるハウスバンドが前記垂直折曲部のバンド挿通部に挿通されて、当該ハウスバンドが位置決め固定されることを特徴とする、ハウス内環境の保全シート用ハウスバンドの位置決め固定具。
【請求項３】
前記バンド挿通部を形成する垂直折曲部は、下方に開口するコ字状や山形状又は湾曲状に形成されていることを特徴とする、請求項１又は２に記載したハウス内環境の保全シート用ハウスバンドの位置決め固定具。
【請求項４】
前記バンド挿通部の幅寸が、６０〜７０ｍｍ程度であることを特徴とする、請求項１〜３のいずれか１項に記載したハウス内環境の保全シート用ハウスバンドの位置決め固定具。
【請求項５】
前記被覆シートの上から押さえるハウスバンド毎に、バンド挿通部に挿通される当該位置決め固定具が棟部シート止め材を介して複数押し入れ固定されることを特徴とする、請求項１〜４のいずれか１項に記載したハウス内環境の保全シート用ハウスバンドの位置決め固定具。
【発明の詳細な説明】
【技術分野】
【０００１】
この発明は、ハウス骨組に被覆するシートや防虫ネット又は防風ネット（以下単に「防虫ネット」と略す場合がある。）の上に被覆するシートの上に被覆するシートを押さえるハウスバンドの位置決め固定具に関し、さらに言えば、特に台風時にハウス内環境を保全するべく、防虫ネットは被覆状態のままの一方、フルオープンする被覆シートを押さえるハウスバンドが、風にあおられて揺動するのを防いで固定するハウス内環境の保全シート用ハウスバンドの位置決め固定具の技術分野に属する。
【背景技術】
【０００２】
図８に示したようなビニルハウスに被覆されるシートには、ハウスバンドが架け渡され、パタつきを抑えつつ、被覆シートをシート巻き取り装置９により巻き上げたり下げたりして、ハウス内の作物の環境を保全している。
特に、高温多湿な沖縄では、ハウス骨組にまず防虫ネットを被覆し、その上にプラスチックフィルムシート（以下、単にシートともいう。）を被覆して実施される。このように、防虫ネットを被覆するのは、台風が襲来した際にハウス内の作物を守るためである。また、シートを張りっぱなりだとハウス内が高温になるため、防虫ネットを張設したままの状態で、シートを上げ下げして温度調節するためである。
すなわち、張りっぱなしの防虫ネットの上に通常のシートを被せ、そのシートを上げ下げしてハウス内の環境を保ち、前記シートの上にハウスバンドを掛けてシートと防虫ネットのパタつきを防いでいる。そして、台風時には、ハウスバンドを緩めてシートを上まで巻き上げたフルオープン状態にするが、その際、前記ハウスバンドが風にあおられて左右に振られ、シート上で位置がズレるので、ハウスバンドを元に戻すには、人がビニールハウスの上に登って手作業で定位置にしている。
【０００３】
なお、例えば下記特許文献１の請求項１には、弾性線材を屈曲形成してなり、温室の被覆材であるプラスチックフィルムの適宜部位を固定する止め材の対向する２つの側面に当接し得るように配設される、該プラスチックフィルムの外面に掛け回されるハウスバンドの留め具であって、前記止め材の少なくとも一方の側面に対し、複数の線部が当接し得るように屈曲形成されたバンド係留部を有し、該複数の線部にハウスバンドの一部を掛けて該一方の側面に押し付けて係留可能であることを特徴とする温室用ハウスバンドの留め具が記載されている。
また、特許文献２の請求項１には、農業ハウスに展張した農業用フィルムを押さえるためのハウスバンドであって、幅が５０ｍｍ以上であり、長尺方向の引張破断強度が１２００ｋｇ／ｃｍ2 以上の、少なくとも長尺方向に延伸処理が施された多層構造を有するポリオレフィン系延伸フィルムからなる農業ハウス用ハウスバンドが記載されている。
【先行技術文献】
【特許文献】
【０００４】
【特許文献１】特開平１１−２８９８８１号公報
【特許文献２】特開２０００−１６６３９７公報
【発明の概要】
【発明が解決しようとする課題】
【０００５】
上述したように従来は、台風に備えてフルオープンにした被覆シート上で、ハウスバンドが風にあおられ左右に振られて揺動し、特に妻面に近いハウスバンドがズレてビニルハウスの妻面側に外れて抜け落ちたりし、ハウスバンドのズレを可及的に防止できない。修復時に、人が高いビニルハウスの上に登って当該ハウスバンドを定位置に戻す作業は大変煩わしく危険である。
また、特許文献１に記載の温室用ハウスバンドの留め具は、細いハウスバンドの一部を複数の線部に掛けて係留する構成なので、特許文献２のような幅が５０ｍｍ以上のハウスバンドを挿通することは不可能である。適用される細いハウスバンドが強風でズレた際に、被覆シートを傷付ける虞れもある。しかも、ビニルハウスの棟部で当該ハウスバンドを位置決め固定する構成でもない。
【０００６】
この発明は、上記のような問題点を解決すべくなされたもので、台風対策等で上げ下げしてハウス内環境を保全する被覆シートを押さえる幅広のハウスバンドが、簡便な構造ながらハウス棟部でしっかりと位置決め固定され、経済性、施工性に優れたハウス内環境の保全シート用ハウスバンドの位置決め固定具を提供することを目的とする。
【課題を解決するための手段】
【０００７】
上記の課題を解決するための手段として、請求項１に記載した発明のハウス内環境の保全シート用ハウスバンドの位置決め固定具は、複数のアーチパイプ１により形成されるトンネル状のハウス骨組１０に防虫ネット２又は防風ネットが被覆され、その防虫ネット２又は防風ネットの上にシート３が被覆され、前記被覆シート３の下端３０を上げ下げしてビニルハウスＢ内の環境を保全する前記被覆シート３を上から押さえるハウスバンド８の位置決め固定具Ａであって、
全体形状が弾性線材５を折曲して水平な前後の水平折曲部６、６’と、中央で垂直に起立する垂直折曲部７に形成され、前記前後の水平折曲部６、６’は、前記ハウス骨組１０の棟部１１に設けられた棟部シート止め材４の止着溝４０に押し入れ固定自在で、前記中央の垂直折曲部７は、その中空内部にハウスバンド８が挿通可能な所定幅寸のバンド挿通部７０として形成されており、前記防虫ネット２又は防風ネットと被覆シート３を押し入れて止着する前記棟部シート止め材４の止着溝４０に前記水平折曲部６、６’が固定されると共に、前記被覆シート３の上から押さえるハウスバンド８が前記垂直折曲部７のバンド挿通部７０に挿通されて、当該ハウスバンド８が位置決め固定されることを特徴とする。
【０００８】
請求項２に記載した発明のハウス内環境の保全シート用ハウスバンドの位置決め固定具は、複数のアーチパイプ１により形成されるトンネル状のハウス骨組１０にシート３が被覆され、前記被覆シート３の下端３０を上げ下げしてビニルハウスＢ内の環境を保全する前記被覆シート３を上から押えるハウスバンド８の位置決め固定具であって、
全体形状が弾性線材５を折曲して水平な前後の水平折曲部６、６’と、中央で垂直に起立する垂直折曲部７に形成され、前記前後の水平折曲部６、６’は、前記ハウス骨組１０の棟部１１に設けられた棟部シート止め材４の止着溝４０に押し入れ固定自在で、前記中央の垂直折曲部７は、その中空内部にハウスバンド８が挿通可能な所定幅寸のバンド挿通部７０として形成されており、前記被覆シート３を押し入れて止着する前記棟部シート止め材４の止着溝４０に前記水平折曲部６、６’が固定されると共に、前記被覆シート３の上から押さえるハウスバンド８が前記垂直折曲部７のバンド挿通部７０に挿通されて、当該ハウスバンド８が位置決め固定されることを特徴とする。
【０００９】
請求項３に記載した発明は、請求項１又は２に記載したハウス内環境の保全シート用ハウスバンドの位置決め固定具における前記バンド挿通部７０を形成する垂直折曲部７が、下方に開口するコ字状や山形状又は湾曲状に形成されていることを特徴とする。
【００１０】
請求項４に記載した発明は、請求項１〜３のいずれか１項に記載したハウス内環境の保全シート用ハウスバンドの位置決め固定具におけるバンド挿通部の幅寸Ｗが、６０〜７０ｍｍ程度であることを特徴とする。
【００１１】
請求項５に記載した発明は、請求項１〜３のいずれか１項に記載したハウス内環境の保全シート用ハウスバンドの位置決め固定具における前記被覆シート３の上から押さえるハウスバンド８毎に、バンド挿通部７０に挿通される当該位置決め固定具Ａが、棟部シート止め材４を介して複数押し入れ固定されることを特徴とする。
【発明の効果】
【００１２】
本発明のハウス内環境の保全シート用ハウスバンドの位置決め固定具は、簡便構造ながら所定幅寸のバンド挿通部である垂直折曲部が、棟部シート止め材でシート等と共に固定されるので、上げ下げしてハウス内環境を保全する被覆シートを押さえる幅広のハウスバンドがハウス棟部で確実に位置決め固定される。ハウスバンドが固定されるので、経年使用でハウスバンドの揺動による被覆シートの損傷も防止され、補修や交換を行わずに長期間の使用に耐えて製造コストも低減される経済性、施工性にも優れる。
【図面の簡単な説明】
【００１３】
【図１】本発明のハウスバンドの位置決め固定具が棟部シート止め材に防虫ネットとシートと共に押し込まれた状態を示した斜視図である。
【図２】ハウスバンドの位置決め固定具の使用状況を一部省略して示したビニルハウスの全体斜視図である。
【図３】ハウスバンドの位置決め固定具の使用状況を示した拡大図（図２の丸枠部分）である。
【図４】ハウスバンドの位置決め固定具を示した斜視図である。
【図５】図４のハウスバンドの位置決め固定具を示した正面図である。
【図６】図５の上面図である。
【図７】図６の左側面図である。
【図８】被覆シートのオープン過程のビニルハウスを簡略して示した全体斜視図である。
【発明を実施するための最良の形態】
【００１４】
本実施形態のハウス内環境の保全シート用ハウスバンドの位置決め固定具について、以下に図面にしたがって説明する。
この位置決め固定具Ａは、図２に示したような棟方向に間隔をあけて並列するように配置した複数のほぼ同大・同形のアーチパイプ１等によって形成されるトンネル状のハウス骨組１０に、まず防虫ネット２（又は防風ネット、以下同じ。）を被覆して張設され、その防虫ネット２の上にシート３が被覆されて成るビニルハウスＢに実施される。被覆シート３としては、例えばポリオレフィンシート、塩化ビニルシート又はプラスチックフィルムシートが好適に用いられる。
すなわち、前記被覆シート３（下端３０）は図８に示したように、シート巻き取り装置９によって上げたり下げたりしてビニルハウスＢ内の環境を保全するが、当該被覆シート３を上から押さえるハウスバンド８の位置を決めて固定するものである。とりわけ、本位置決め固定具Ａは、台風時に前記防虫ネット２はそのままの張設状態を維持する一方、その上の被覆シート３を全開（フルオープン）するが、ハウスバンド８は前記被覆シート３を上から押さえ、同シート３と防虫ネット２のパタつきを防止するために使用される。
【００１５】
ビニルハウスＢの頂部をなす棟部１１には、図２と図８に示したように、棟部シート止め材４が設けられており、この棟部シート止め材４に、当該ハウスバンドの位置決め固定具Ａが押し入れ固定自在に構成されている。
棟部シート止め材４は、図１に示したように、横断面が蟻溝形状で、その内部の止着溝４０は、底面部の両側に立ち上がる両溝壁を漸次内方へ傾斜させて開口部が幅狭となるようにして形成されている。下記の弾性線材５による位置決め固定具Ａの最大幅（２８ｍｍ程度）が、当該止着溝４０の底面部の幅寸（３１ｍｍ程度）よりも若干小さく形成されている。同図１中の符号４１は、この棟部シート止め材４の両溝壁の天端部に形成した内向きのカール部を示している。
【００１６】
図４〜図７に示した位置決め固定具Ａは、線径が２ｍｍ程度のステンレス製の弾性線材５を折曲して、全体形状が水平な前後の水平折曲部６、６’と、中央で垂直に起立する垂直折曲部７に形成されている。
前記の前後の水平折曲部６、６’は、中央の垂直折曲部７を挟んで相互に対称的な山形状に形成して水平に配置されている。その長手方向の長さは７５ｍｍ程度で、短手方向（幅方向）の最大幅は２８ｍｍ程度である。この山形状（台形状）の水平折曲部６、６’の各前後（内外）をなす端部６０は、幅方向に若干湾曲した湾曲部に形成されている。よって、前記ハウス骨組１０の棟部１１に設けられた棟部シート止め材４の止着溝４０に押し入れ固定自在に構成されている（図１、図２）。なお、この水平折曲部６、６’は、図示例の山形状のほか、例えば、半円弧状等により形成して実施することも可能である。棟部シート止め材４の止着溝４０に突っ張って押し入れ固定できる形状・大きさであればよい。
【００１７】
前記した中央の垂直折曲部７は、前記山形状の水平折曲部６、６’の各内側の端部６０、６０に連続して、中央位置で下方に開口するコ字状を形成して垂直状に起立し（高さは４８ｍｍ程度）、その中空内部がバンド挿通部７０として形成されている。図６に示した当該バンド挿通部の幅寸Ｗは、ハウスバンド８が挿通可能な幅寸として、６０〜７０ｍｍ程度が好ましいが、本実施例の場合６４ｍｍ程度である。なお、このバンド挿通部７０を形成する垂直折曲部７は、図示例のような下方に開口するコ字状のほか、山形状又は湾曲状等に形成して実施することも可能である（図示は省略）。要するに、その中空内部のバンド挿通部７０に、ハウスバンド８が挿通するに十分な幅寸と高さのある空間があればその形状・大きさは特に限定されない。
【００１８】
上記位置決め固定具Ａのバンド挿通部７０に挿通されるハウスバンド８は、合成樹脂製で幅寸が４５〜６０ｍｍ程度の幅広の長尺物に形成されている。並列配置した２つのアーチパイプ１、１の間（又はアーチパイプ１と妻面の間）に、アーチパイプ１と平行になるように１．２〜２ｍ程度おきの間隔で架け渡し、ビニルハウスＢの両側面の下部でロックされている。すなわち、図２に示したように、ハウスバンド８の一方の端部は、減速機Ｃに接続されたハウス下端の一方の下方パイプ１２に接続され、同ハウスバンド８の他方の端部は、減速機Ｃに接続されていない他方のハウス下端の下方パイプ１２に接続されている。
【００１９】
そして、台風時等で被覆シート３を上方に巻き上げる際、その巻き上げ操作の抵抗とならないようにハウスバンド８のロックを解除ができる構造となっている。すなわち、被覆シート３の巻き上げ時には、前記減速機Ｃにより下方パイプへのロックを解除する。そして、図８に示したように、シート巻き取り装置９により被覆シート３を巻き上げる。被覆シート３の巻き上げが終ったらロックする。一方、被覆シート３を元の状態に下す際は、前記ハウスバンド８のロック状態を解除し、前記シート巻き取り装置９により被覆シート３を下ろし、下ろしきったところでハウスバンド８を再びロックする。
【００２０】
したがって、ビニルハウスＢの前記棟部シート止め材４の止着溝４０に、防虫ネット２を波形シート止め材Ｄによって押し入れて止着する。次に、被覆シート３を前記棟部シート止め材４の止着溝４０に異なる波形シート止め材Ｄによって押し入れて止着する。そして、前記位置決め固定具Ａの水平折曲部６、６’を棟部シート止め材４の止着溝４０に、前記波形シート止め材Ｄ、Ｄの上に重なるように押し入れて固定する（図１）。しかる後、前記被覆シート３の上から押さえるハウスバンド８を、この位置決め固定具Ａのバンド挿通部７０に挿通し（図３参照）、両下端部を下方パイプ１２、１２に固定する。かくして、ハウスバンド８は、風にあおられてズレることなく、バンド挿通部７０内と下方パイプ１２、１２でしっかりと位置決め固定される（図２）。
【００２１】
上記に説明した実施例は、防虫ネット２をまず最初に被覆し、その上にシート３を被覆する場合の適用例であるが、防虫ネット２を被覆しないでシート３だけをビニルハウスＢに張設して実施することも好適に行われる（図示と説明は省略）。
なお、以上、実施例を図面に基づいて説明したが、ハウスバンド８の幅寸は１０ｍｍ程度のものであっても適応可能であることは勿論、本発明は、図示例の限りではなく、その技術的思想を逸脱しない範囲において、当業者が通常に行う設計変更、応用のバリエーションの範囲を含むことを念のために言及する。
【符号の説明】
【００２２】
Ａ      位置決め固定具
Ｂ      ビニルハウス
Ｗ      幅寸
１      アーチパイプ
１０    ハウス骨組
１１    棟部
１２    下方パイプ
２      防虫ネット
３      被覆シート
３０    下端
４      棟部シート止め材
４０    止着溝
５      弾性線材
６、６’水平折曲部
７      垂直折曲部
７０    バンド挿通部
８      ハウスバンド
９      シート巻き取り装置
【図１】
2020124138.tif 000003
【図２】
2020124138.tif 000004
【図３】
2020124138.tif 000005
【図４】
2020124138.tif 000006
【図５】
2020124138.tif 000007
【図６】
2020124138.tif 000008
【図７】
2020124138.tif 000009
【図８】
2020124138.tif 000010